(57)【要約】【課題】異なるプロファイルが混在するＤＶＢ−Ｔ２の放送信号において、低コストで雑音耐性に優れた所望のプロファイルの受信および復調を、迅速に行うことができるようにする。【解決手段】ＤＶＢ−Ｔ２規格に適合し、複数のプロファイルが混在する放送信号において、複数のプロファイルのそれぞれに対応するフレームに含まれる情報を抽出する情報抽出部と、複数のプロファイルのうち、誤り訂正復号されたデータを出力すべきプロファイルである第１のプロファイルのフレームに含まれるフレーム同期に係る処理に必要な情報、および、誤り訂正復号されたデータを出力する必要がないプロファイルである第２のプロファイルのフレームに含まれるフレーム同期に係る処理に必要な情報を常に取得するように、情報抽出部の稼働を制御する稼働制御部とを備える。【選択図】図１１
2014017577.tif 000002
【特許請求の範囲】
【請求項１】
ＤＶＢ−Ｔ２規格に適合し、複数のプロファイルが混在する放送信号において、前記複数のプロファイルのそれぞれに対応するフレームに含まれる情報を抽出する情報抽出部と、
前記複数のプロファイルのうち、誤り訂正復号されたデータを出力すべきプロファイルである第１のプロファイルのフレームに含まれるフレーム同期に係る処理に必要な情報、および、誤り訂正復号されたデータを出力する必要がないプロファイルである第２のプロファイルのフレームに含まれるフレーム同期に係る処理に必要な情報を常に取得するように、前記情報抽出部の稼働を制御する稼働制御部と
を備える受信装置。
【請求項２】
前記第２のプロファイルのフレームに含まれるフレーム同期に係る処理に必要な情報が、Ｐ１プリアンブル信号である
請求項１に記載の受信装置。
【請求項３】
前記第２のプロファイルのフレームに含まれるフレーム同期に係る処理に必要な情報が、スキャッタードパイロット信号またはコンティニュアルパイロット信号である
請求項１に記載の受信装置。
【請求項４】
前記情報抽出部により抽出された、前記第１のプロファイルのフレームに含まれるフレーム同期に係る処理に必要な情報、および、前記第２のプロファイルのフレームに含まれるフレーム同期に係る処理に必要な情報に基づいて、
前記第１のプロファイルのフレームにおける周波数同期が行われる
請求項１に記載の受信装置。
【請求項５】
前記情報抽出部により抽出された、前記第１のプロファイルのフレームに含まれるフレーム同期に係る処理に必要な情報、および、前記第２のプロファイルのフレームに含まれるフレーム同期に係る処理に必要な情報に基づいて、
前記第１のプロファイルのフレームにおけるタイミング同期が行われる
請求項１に記載の受信装置。
【請求項６】
前記情報抽出部により抽出された、前記第１のプロファイルのフレームに含まれるフレーム同期に係る処理に必要な情報、および、前記第２のプロファイルのフレームに含まれるフレーム同期に係る処理に必要な情報に基づいて、
前記第１のプロファイルのフレームにおけるチャネル推定が行われる
請求項１に記載の受信装置。
【請求項７】
前記第２のプロファイルのフレームに含まれるフレーム同期に係る処理に必要な情報として、スキャッタードパイロット信号が抽出され、
前記第２のプロファイルのフレームから抽出された前記スキャッタードパイロット信号に基づいて、前記第１のプロファイルのフレームのスキャッタードパイロット信号が予測され、
前記予測されたスキャッタードパイロット信号に基づいて、前記第１のプロファイルのフレームにおけるチャネル推定が行われる
請求項６に記載の受信装置。
【請求項８】
情報抽出部が、ＤＶＢ−Ｔ２規格に適合し、複数のプロファイルが混在する放送信号において、前記複数のプロファイルのそれぞれに対応するフレームに含まれる情報を抽出し、
稼働制御部が、前記複数のプロファイルのうち、誤り訂正復号されたデータを出力すべきプロファイルである第１のプロファイルのフレームに含まれるフレーム同期に係る処理に必要な情報、および、誤り訂正復号されたデータを出力する必要がないプロファイルである第２のプロファイルのフレームに含まれるフレーム同期に係る処理に必要な情報を常に取得するように、前記情報抽出部の稼働を制御するステップ
を含む受信方法。
【請求項９】
コンピュータを、
ＤＶＢ−Ｔ２規格に適合し、複数のプロファイルが混在する放送信号において、前記複数のプロファイルのそれぞれに対応するフレームに含まれる情報を抽出する情報抽出部と、
前記複数のプロファイルのうち、誤り訂正復号されたデータを出力すべきプロファイルである第１のプロファイルのフレームに含まれるフレーム同期に係る処理に必要な情報、および、誤り訂正復号されたデータを出力する必要がないプロファイルである第２のプロファイルのフレームに含まれるフレーム同期に係る処理に必要な情報を常に取得するように、前記情報抽出部の稼働を制御する稼働制御部とを備える受信装置として機能させる
プログラム。
【発明の詳細な説明】
【技術分野】
【０００１】
本技術は、受信装置および方法、並びに、プログラムに関し、特に、異なるプロファイルが混在するＤＶＢ−Ｔ２の放送信号において、低コストで雑音耐性に優れた所望のプロファイルの受信および復調を、迅速に行うことができるようにする受信装置および方法、並びに、プログラムに関する。
【背景技術】
【０００２】
地上デジタル放送の規格としては、例えば、第２世代欧州地上波デジタル放送規格（ＤＶＢ−Ｔ２規格）の策定が進められている（非特許文献１参照）。
【０００３】
このＤＶＢ−Ｔ２規格に適合する地上デジタル放送では、直交周波数分割多重方式（ＯＦＤＭ(Orthogonal Frequency Division Multiplexing)）と呼ばれる変調方式が用いられる。
【０００４】
ＯＦＤＭ方式によるデータ伝送は、伝送帯域内に多数の直交するサブキャリア（副搬送波）を使用し、それぞれのサブキャリアの振幅や位相にデータを割り当てることによって行われる。データはＯＦＤＭシンボルと呼ばれるシンボル単位で伝送される。ＯＦＤＭシンボルに対しては、送信時にＩＦＦＴ(Inverse Fast Fourier Transform)が行われる。
【０００５】
ＤＶＢ-Ｔ２規格では、Ｔ２フレームと呼ばれるフレームが定義され、データはＴ２フレーム単位で送信される。そして、ＤＶＢ−Ｔ２規格では、送信Ｔ２フレーム間に、ＦＥＦ(Future Extension Frame)と呼ばれる信号を時間方向に多重して送信することが可能となっている。
【０００６】
Ｔ２フレームは、Ｐ１と呼ばれるプリアンブル信号を含み、そのプリアンブル信号には、当該フレームがＴ２フレームなのかＦＥＦなのかを判別するための情報や、ＯＦＤＭ信号の復調等の処理に必要な情報が含まれる。
【０００７】
また、Ｔ２フレームにはＰ１に加えてＰ２と呼ばれるプリアンブル信号が含まれており、Ｐ２には、ＦＥＦの長さ、間隔、種別などを表す情報、Ｔ２フレームの復調処理に必要な情報が含まれている。
【０００８】
例えば、受信装置において、Ｐ１、Ｐ２に含まれるＦＥＦに係る情報を取得する事によって、Ｔ２フレームのみを取り出して復調することができ、ＦＥＦの影響を排除して復調性能を向上させることが出来る。
【０００９】
ＤＶＢ−Ｔ２規格のv1.3.1では、Ｔ２−ＢａｓｅとＴ２−Ｌｉｔｅと呼ばれるプロファイルが規定されている。Ｔ２−Ｂａｓｅは、v1.2.1以前の規格に適合する信号であって、主に固定受信用の放送を想定したプロファイルとして規定されている。一方、Ｔ２−Ｌｉｔｅは、主にモバイル端末向けのプロファイルとして追加されたものである。Ｔ２−Ｌｉｔｅは、受信機コスト低減を目的として、従来のＴ２のパラメータを限定した方式となっており、従来の受信機との互換性のある方式である。
【００１０】
このＴ２−Ｌｉｔｅのプロファイルは、ＦＥＦとして送信されることが規定されている。従って、今後、ＤＶＢ−Ｔ２規格に適合する地上デジタル放送において、Ｔ２のプロファイルと、Ｔ２−Ｌｉｔｅのプロファイルが混在する信号が送信されることがある。
【００１１】
また、各プロファイルのフレーム間に異なるプロファイルのフレームまたはＦＥＦが挿入される可能性があるが、ＤＶＢ−Ｔ２規格により、この最大長が規定されている。Ｔ２−ＢａｓｅフレームとＴ２−Ｂａｓｅフレームの間には最大で合計２５０ミリ秒の異なるプロファイルのフレーム、またはＦＥＦが送信される。Ｔ２−ＬｉｔｅフレームとＴ２−Ｌｉｔｅフレームの間には最大で合計１秒の異なるプロファイルのフレーム、またはＦＥＦが送信される。
【００１２】
受信機はこのような放送信号からＴ２−ＢａｓｅまたはＴ２−Ｌｉｔｅのプロファイルに対応するフレームを選択して復調し、放送信号に含まれる放送サービスを取り出す必要がある。受信機ではＰ１のシグナリングを解析することにより所望のプロファイルのフレームを選択することが出来、所望のプロファイル以外のフレームは無視される。
【先行技術文献】
【非特許文献】
【００１３】
【非特許文献１】DVB BlueBook A122 Rev.1，Frame structure channel coding and modulation for a second generation digital terrestrial television broadcasting system (DVB-T2) 平成２０年９月１日、ＤＶＢのホームページ、［平成２４年６月８日検索］、インターネット＜URL：http://www.dvb.org/technology/＞
【発明の開示】
【発明が解決しようとする課題】
【００１４】
しかしながら、所望のプロファイル以外のフレームが送信される時間が長い場合、所望のプロファイル以外のフレームを無視している間に周波数誤差が発生したり、タイミング誤差が徐々に大きくなる。
【００１５】
すなわち、無視されたフレームを受信している間は、周波数同期、タイミング同期に係る処理が行われないため、ＯＦＤＭ信号の復調においてＦＦＴの演算に用いられるキャリアの周波数と、受信したＯＦＤＭ信号の中心周波数とのずれ（周波数誤差）、受信機の内部で生成されるクロック信号と、受信したＯＦＤＭ信号におけるクロックのずれ（タイミング誤差）が蓄積されてしまう。
【００１６】
その結果、所望のプロファイルのフレームの受信再開時に周波数同期、タイミング同期などに時間がかかり、誤差が小さくなるまで受信状態が悪くなることがある。
【００１７】
また、所望のプロファイル以外のフレームを無視するようにすると、受信機において復調を行う際に、時間的に連続するＯＦＤＭ信号が欠落した状態で復調を行うことになる。このため、既に受信したスキャッタードパイロット信号（ＳＰ信号）を使って、これから受信されるＳＰ信号を予測し、これにより時間的に後の伝送路特性を推定する予測型チャネル推定を行うことができなくなってしまう。
【００１８】
例えば、補完型チャネル推定を採用することはできるが、この場合、大量のシンボルを記憶するためのメモリなどが必要となり、雑音に対する耐性も劣化する。
【００１９】
このように、ＤＶＢ−Ｔ２規格に適合する放送信号において、複数のプロファイルが混在する場合、従来の受信方式では、良好な受信状態を得るまでに時間がかかったり、チャネル推定方式が制約されてしまうという問題があった。
【００２０】
本技術はこのような状況に鑑みて開示するものであり、異なるプロファイルが混在するＤＶＢ−Ｔ２の放送信号において、低コストで雑音耐性に優れた所望のプロファイルの受信および復調を、迅速に行うことができるようにするものである。
【課題を解決するための手段】
【００２１】
本技術の一側面は、ＤＶＢ−Ｔ２規格に適合し、複数のプロファイルが混在する放送信号において、前記複数のプロファイルのそれぞれに対応するフレームに含まれる情報を抽出する情報抽出部と、前記複数のプロファイルのうち、誤り訂正復号されたデータを出力すべきプロファイルである第１のプロファイルのフレームに含まれるフレーム同期に係る処理に必要な情報、および、誤り訂正復号されたデータを出力する必要がないプロファイルである第２のプロファイルのフレームに含まれるフレーム同期に係る処理に必要な情報を常に取得するように、前記情報抽出部の稼働を制御する稼働制御部とを備える受信装置である。
【００２２】
前記第２のプロファイルのフレームに含まれるフレーム同期に係る処理に必要な情報が、Ｐ１プリアンブル信号であるようにすることができる。
【００２３】
前記第２のプロファイルのフレームに含まれるフレーム同期に係る処理に必要な情報が、スキャッタードパイロット信号またはコンティニュアルパイロット信号であるようにすることができる。
【００２４】
前記情報抽出部により抽出された、前記第１のプロファイルのフレームに含まれるフレーム同期に係る処理に必要な情報、および、前記第２のプロファイルのフレームに含まれるフレーム同期に係る処理に必要な情報に基づいて、前記第１のプロファイルのフレームにおける周波数同期が行われるようにすることができる。
【００２５】
前記情報抽出部により抽出された、前記第１のプロファイルのフレームに含まれるフレーム同期に係る処理に必要な情報、および、前記第２のプロファイルのフレームに含まれるフレーム同期に係る処理に必要な情報に基づいて、前記第１のプロファイルのフレームにおけるタイミング同期が行われるようにすることができる。
【００２６】
前記情報抽出部により抽出された、前記第１のプロファイルのフレームに含まれるフレーム同期に係る処理に必要な情報、および、前記第２のプロファイルのフレームに含まれるフレーム同期に係る処理に必要な情報に基づいて、前記第１のプロファイルのフレームにおけるチャネル推定が行われるようにすることができる。
【００２７】
前記第２のプロファイルのフレームに含まれるフレーム同期に係る処理に必要な情報として、スキャッタードパイロット信号が抽出され、前記第２のプロファイルのフレームから抽出された前記スキャッタードパイロット信号に基づいて、前記第１のプロファイルのフレームのスキャッタードパイロット信号が予測され、前記予測されたスキャッタードパイロット信号に基づいて、前記第１のプロファイルのフレームにおけるチャネル推定が行われるようにすることができる。
【００２８】
本技術の一側面は、情報抽出部が、ＤＶＢ−Ｔ２規格に適合し、複数のプロファイルが混在する放送信号において、前記複数のプロファイルのそれぞれに対応するフレームに含まれる情報を抽出し、稼働制御部が、前記複数のプロファイルのうち、誤り訂正復号されたデータを出力すべきプロファイルである第１のプロファイルのフレームに含まれるフレーム同期に係る処理に必要な情報、および、誤り訂正復号されたデータを出力する必要がないプロファイルである第２のプロファイルのフレームに含まれるフレーム同期に係る処理に必要な情報を常に取得するように、前記情報抽出部の稼働を制御するステップを含む受信方法である。
【００２９】
本技術の一側面は、コンピュータを、ＤＶＢ−Ｔ２規格に適合し、複数のプロファイルが混在する放送信号において、前記複数のプロファイルのそれぞれに対応するフレームに含まれる情報を抽出する情報抽出部と、前記複数のプロファイルのうち、誤り訂正復号されたデータを出力すべきプロファイルである第１のプロファイルのフレームに含まれるフレーム同期に係る処理に必要な情報、および、誤り訂正復号されたデータを出力する必要がないプロファイルである第２のプロファイルのフレームに含まれるフレーム同期に係る処理に必要な情報を常に取得するように、前記情報抽出部の稼働を制御する稼働制御部とを備える受信装置として機能させるプログラムである。
【００３０】
本技術の一側面においては、前記複数のプロファイルのそれぞれに対応するフレームに含まれる情報が抽出され、前記複数のプロファイルのうち、誤り訂正復号されたデータを出力すべきプロファイルである第１のプロファイルのフレームに含まれるフレーム同期に係る処理に必要な情報、および、誤り訂正復号されたデータを出力する必要がないプロファイルである第２のプロファイルのフレームに含まれるフレーム同期に係る処理に必要な情報を常に取得するように、前記情報抽出部の稼働が制御される。
【発明の効果】
【００３１】
本技術によれば、異なるプロファイルが混在するＤＶＢ−Ｔ２の放送信号において、低コストで雑音耐性に優れた所望のプロファイルの受信および復調を、迅速に行うことができる。
【図面の簡単な説明】
【００３２】
【図１】ＤＶＢ−Ｔ２規格において規定される放送信号の構成例を示す図である。
【図２】Ｐ１に含まれるＳ1とＳ２について説明する図である。
【図３】Ｓ１とＳ２の情報の組み合わせパターンを説明する図である。
【図４】Ｌ１プレのシグナリングを説明する図である。
【図５】Ｌ１ポストのシグナリングを説明する図である。
【図６】ＤＶＢ−Ｔ２規格に適合する放送信号のプロファイルの組み合わせを説明する図である。
【図７】複数のプロファイルが混在する場合の例を説明する図である。
【図８】従来の受信装置の構成例を示すブロック図である。
【図９】Ｔ２−Ｂａｓｅのプロファイルのフレームのみが送信される場合のチャネル推定の例を説明する図である。
【図１０】従来の受信装置の動作の例を説明する図である。
【図１１】本技術を適用した受信装置の動作の例を説明する図である。
【図１２】Ｔ２−Ｌｉｔｅが所望のプロファイルであり、Ｔ２−Ｂａｓｅが擬似ＦＥＦである場合のチャネル推定の例を説明する図である。
【図１３】本技術を適用した受信装置の動作の別の例を説明する図である。
【図１４】Ｔ２−Ｌｉｔｅが所望のプロファイルであり、Ｔ２−Ｂａｓｅが擬似ＦＥＦである場合のチャネル推定の別の例を説明する図である。
【図１５】本技術を適用した受信装置の構成例を示すブロック図である。
【図１６】プロファイル別受信処理の例を説明するフローチャートである。
【図１７】プロファイル別受信処理の別の例を説明するフローチャートである。
【図１８】パーソナルコンピュータの構成例を示すブロック図である。
【発明を実施するための形態】
【００３３】
以下、図面を参照して、ここで開示する技術の実施の形態について説明する。
【００３４】
最初に、第２世代欧州地上波デジタル放送規格（ＤＶＢ−Ｔ２規格）において規定される放送信号について説明する。
【００３５】
ＤＶＢ−Ｔ２規格に適合する地上デジタル放送では、直交周波数分割多重方式（ＯＦＤＭ(Orthogonal Frequency Division Multiplexing)）と呼ばれる変調方式が用いられる。
【００３６】
ＯＦＤＭ方式によるデータ伝送は、伝送帯域内に多数の直交するサブキャリア（副搬送波）を使用し、それぞれのサブキャリアの振幅や位相にデータを割り当てることによって行われる。データはＯＦＤＭシンボルと呼ばれるシンボル単位で伝送される。ＯＦＤＭシンボルに対しては、送信時にＩＦＦＴ(Inverse Fast Fourier Transform)が行われる。
【００３７】
ＤＶＢ-Ｔ２規格では、Ｔ２フレームと呼ばれるフレームが定義され、データはＴ２フレーム単位で送信される。そして、ＤＶＢ−Ｔ２規格では、送信Ｔ２フレーム間に、ＦＥＦ(Future Extension Frame)と呼ばれる信号を時間方向に多重して送信することが可能となっている。
【００３８】
図１はＴ２フレームの構成を説明する図である。同図に示されるように、Ｔ２フレームは、Ｐ１シンボル、Ｐ２シンボル、およびデータシンボル（Data Symbol）から構成されている。Ｐ１シンボルおよびＰ２シンボルは、プリアンブル信号と称される。
【００３９】
プリアンブル信号のＰ１には、そのフレームがＴ２フレームであるのか、ＦＥＦであるのかを判別するための判別情報がシグナリング(Signaling)されている。したがって、Ｔ２フレームを受信する受信装置、ＦＥＦを受信する受信装置は、Ｐ１に含まれる情報を取得することによって、Ｔ２フレームおよびＦＥＦを取り出して復調することができる。
【００４０】
また、Ｐ１には、そのフレームがＴ２フレームの場合、さらに、Ｐ１以外のシンボルのＦＦＴ演算を行うときのＦＦＴサイズ(１回のＦＦＴ演算の対象とするサンプル（シンボル）の数)等の復調処理に必要な情報がシグナリングされている。すなわち、そのフレームがＴ２フレームの場合、Ｐ１は、Ｐ２の復調に必要な伝送方式やＦＦＴサイズ等を含むので、Ｐ２を復調するには、Ｐ１を復調する必要がある。
【００４１】
Ｐ１のシグナリングは、Ｓ１、Ｓ２と呼ばれる部分で構成されており、Ｓ１は３ビット、Ｓ２は４ビットで構成されている。
【００４２】
図２を参照し、Ｐ１に含まれるＳ1とＳ２について説明する。上述したように、Ｐ１は、７ビットで構成され、Ｓ１とＳ２から構成されている。
【００４３】
Ｓ１は、３ビットで構成されるため、取り得る値としては、“０００”、“００１”、“０１０”、“０１１”、“１００”、“１０１”、“１１０”、および“１１１”がある。
【００４４】
Ｓ１が“０００”である場合、そのフレームは、Ｔ２ ＳＩＳＯ（Single Input Single Output）であり、Ｔ２フレームであることを示している。Ｓ１が“００１”である場合、そのフレームは、Ｔ２ ＭＩＳＯ（Multiple Input Single Output）であり、Ｔ２フレームであることを示している。Ｓ１が、“０１０”である場合、そのフレームはＦＥＦであることを示している。Ｓ１が、“０１１”である場合、そのフレームは、Ｔ２−Ｌｉｔｅ  ＳＩＳＯであり、後述するＴ２−Ｌｉｔｅフレームであることを表している。Ｓ１が、“１００”である場合、そのフレームは、Ｔ２−Ｌｉｔｅ  ＭＩＳＯであり、後述するＴ２−Ｌｉｔｅフレームであることを表している。Ｓ１が、“１０１”、“１１０”、または“１１１”である場合、これらの値は、Reserved（予約）されているため、用途が未確定な値である。Ｓ１がこれらの値の場合、少なくともＴ２フレームではないことは受信装置側で認識できる。
【００４５】
例えば、Ｔ２フレームとＦＥＦが多重化されている信号を受信する可能性がある場合、Ｐ１に含まれるＳ１が“０００”または“００１”であるときには、Ｔ２フレームであることがわかり、それ以外の値であるときには、Ｔ２−ＬｉｔｅフレームまたはＦＥＦであることが、受信装置側ではＳ１を解釈することでわかる。
【００４６】
Ｐ１に含まれるＳ２は、４ビットで構成される。４ビットのうち、ＬＳＢ（Least Significant Bit）以外の３ビットは、ＦＥＴ ＳＩＺＥを表す値が記載されるため図２においては×で示されている。Ｓ２のＬＳＢが“０”の場合、その受信している信号は、“Not Mixed”であることを示している。異なるプロファイルのフレームが混在せず、かつＦＥＦがない場合、“Not Mixed”とされる。
【００４７】
Ｓ２のＬＳＢが“１”の場合、その受信している信号は、“Mixed”であることを示している。異なるプロファイルのフレームが混在する、または、ＦＥＦが混在する場合、“Mixed”とされる。
【００４８】
このような情報が、Ｓ１とＳ２にそれぞれ含まれている。よって、Ｓ１とＳ２の情報の組み合わせには、図３に示すようなパターンがあり、それぞれのパターンにより受信されている信号がどのような信号（フレーム）であるのかが特定できる。
【００４９】
パターンａは、Ｓ１が“０００”または“００１”であるために、受信された信号は、Ｔ２フレームであり、かつＳ２が“×××０”であるために、受信されている信号には異なるフレームは含まれない（Not Mixed）ことがわかるパターンである。パターンａの場合、受信される信号は、Ｔ２フレームだけが含まれる信号（Pure T2）であり、受信装置は、パターンａに適した処理を行う。
【００５０】
パターンｂは、Ｓ１が“０００”または“００１”であるために、受信された信号は、Ｔ２フレームであり、かつＳ２が“×××１”であるために、受信されている信号には異なるフレームが含まれる（Mixed）ことがわかるパターンである。またこのような状況は、処理対象とされているフレームが、Ｔ２フレームであり、そのＴ２フレームに含まれているＰ１が処理されていることもわかる状況である。このようなパターンｂの場合、受信される信号は、Ｔ２フレームとＴ２−Ｌｉｔｅフレーム（またはＦＥＦフレーム）が含まれる信号であり、受信装置は、パターンｂに適した処理を行う。
【００５１】
パターンｃは、Ｓ１が“０１１”、“１００”であるために、受信された信号は、Ｔ２−Ｌｉｔｅフレームであり、かつＳ２が“×××０”であるために、受信されている信号には異なるフレームは含まれない（Not Mixed）ことがわかるパターンである。パターンｃの場合、受信される信号は、Ｔ２−Ｌｉｔｅフレームだけが含まれる信号（Pure T2-Lite）であり、受信装置は、パターンｃに適した処理を行う。
【００５２】
パターンｄは、Ｓ１が“０１１”、“１００”であるために、受信された信号は、Ｔ２−Ｌｉｔｅフレームであり、かつＳ２が“×××１”であるために、受信されている信号には異なるフレームが含まれる（Mixed）ことがわかるパターンである。またこのような状況は、処理対象とされているフレームが、Ｔ２−Ｌｉｔｅフレームであり、そのＴ２−Ｌｉｔｅフレームに含まれているＰ１が処理されていることもわかる状況である。このようなパターンｂの場合、受信される信号は、Ｔ２−ＬｉｔｅフレームとＴ２フレーム（またはＦＥＦフレーム）が含まれる信号であり、受信装置は、パターンｄに適した処理を行う。
【００５３】
パターンｅは、Ｓ１が“０１０”であるために、受信された信号は、ＦＥＦフレームであり、かつＳ２が“×××０”であるために、受信されている信号には異なるフレームは含まれない（Not Mixed）ことがわかるパターンである。パターンｅの場合、受信される信号は、ＦＥＦだけが含まれる信号であるので、受信装置は、パターンｅに適した処理を行う。
【００５４】
パターンfは、Ｓ１が“１０１”、“１１０”または“１１１”であるために、受信された信号は、Ｔ２フレーム、Ｔ２−ｌｉｔｅフレーム以外であり、かつＳ２が“×××１”であるために、受信されている信号には異なるフレームが含まれる（Mixed）ことがわかる状況である。またこのような状況は、処理対象とされているフレームが、ＦＥＦであり、そのＦＥＦに含まれているＰ１が処理されていることもわかる状況である。
【００５５】
このように、Ｔ２フレームとＦＥＦに含まれるプリアンブル信号のＰ１を解読することで、受信信号の特徴（パターンａ乃至ｄ）を知ることができる。
【００５６】
また、プリアンブル信号のＰ２には、Ｌ１プレ(L1 PRE)、及び、Ｌ１ポスト(L1 POST)がシグナリング(signalling)される。
【００５７】
Ｌ１プレは、Ｔ２フレームを受信する受信装置が、Ｌ１ポストの復号を行うのに必要な情報を含む。Ｌ１ポストは、受信装置が、物理レイヤ（のlayer pipes）にアクセスするのに必要な情報を含む。
【００５８】
ここで、Ｌ１プレには、ＧＩ長、どのシンボル（サブキャリア）に、既知の信号であるパイロット信号が含まれるかのパイロット信号の配置を表すパイロットパターン(ＰＩＬＯＴ＿ＰＡＴＴＥＲＮ)、ＯＦＤＭ信号を伝送する伝送帯域の拡張の有無(ＢＷＴ_ＥＸＴ)、１つのＴ２フレームに含まれるＯＦＤＭシンボルの数(ＮＵＭ_ＤＡＴＡ_ＳＹＭＢＯＬＳ)等が含まれ、これらは、データのシンボルを復調するのに必要な情報となっている。
【００５９】
図４は、Ｌ１プレのシグナリングを説明する図である。同図に示されるように、各ビットによって各種の情報がシグナリングされる。
【００６０】
Ｌ１ポストには、ＦＥＦの長さ、間隔、種別などを表す情報、Ｔ２フレームの復調処理に必要な情報が含まれている。
【００６１】
図５は、Ｌ１ポストのシグナリングを説明する図である。例えば、同図に示される“ＦＥＦ＿ＬＥＮＧＴＨ”、および、“ＦＥＦ＿ＬＥＮＧＴＨ＿ＭＳＢ”に基づいて、所望のプロファイルから見た場合のＦＥＦと所望のプロファイルでないＴ２フレームの合計の長さを知ることができる。
【００６２】
Ｔ２フレームを受信する受信装置では、Ｌ１プレ、および、Ｌ１ポストにシグナリングされている情報を取得すると、その後、データのシンボルを復調することが可能となる。また、Ｔ２フレームを受信する受信装置では、Ｐ１,Ｐ２に含まれるＦＥＦの情報を取得する事によって、Ｔ２フレームを抽出して復調することができ、ＦＥＦからの影響を排除して復調性能を向上することが出来るように構成されている。
【００６３】
ところで、ＤＶＢ−Ｔ２規格のｖ１.３.１では、Ｔ２−ＢａｓｅとＴ２−Ｌｉｔｅと呼ばれるプロファイルが規定されている。Ｔ２−Ｂａｓｅは、ｖ１.２.１以前の規格に適合する信号であって、主に固定受信用の放送を想定したプロファイルとして規定されている。一方、Ｔ２−Ｌｉｔｅは、主にモバイル端末向けのプロファイルとして追加されたものである。Ｔ２−Ｌｉｔｅは、受信装置コスト低減を目的として、従来のＴ２のパラメータを限定した方式となっており、従来の受信装置との互換性のある方式である。
【００６４】
このＴ２−Ｌｉｔｅのプロファイルは、ＦＥＦとして送信されることが規定されている。従って、今後、ＤＶＢ−Ｔ２規格に適合する地上デジタル放送において、Ｔ２のプロファイルと、Ｔ２−Ｌｉｔｅのプロファイルが混在する信号が送信されることがある。
【００６５】
図６は、ＤＶＢ−Ｔ２規格のｖ１.３.１に適合する地上デジタル放送の放送信号のプロファイルの組み合わせを説明する図である。
【００６６】
図６の最も上は、Ｔ２−Ｂａｓｅフレームのみで構成される放送信号の例を表している。図中上から２番目は、Ｔ２−Ｌｉｔｅフレームのみで構成される放送信号の例を表している。図中上から３番目は、Ｔ２−ＢａｓｅフレームとＴ２−Ｌｉｔｅフレームとで構成される放送信号の例を表している。図中上から４番目は、Ｔ２−ＢａｓｅフレームとＦＥＦとで構成される放送信号であって、Ｔ２−Ｂａｓｅフレームが多い場合の例を表している。図中上から５番目（下から２番目）は、Ｔ２−ＬｉｔｅフレームとＦＥＦとで構成される放送信号であって、Ｔ２−Ｌｉｔｅフレームが多い場合の例を表している。図中の最も下は、Ｔ２−Ｂａｓｅフレームと、Ｔ２−Ｌｉｔｅフレームと、ＦＥＦとで構成される放送信号の例を表している。
【００６７】
なお、図中の小さい矩形のそれぞれが、ＤＶＢ−Ｔ２規格に適合する放送信号のフレームを表している。
【００６８】
Ｔ２−ＢａｓｅフレームとＴ２−Ｌｉｔｅフレームが混在する場合、Ｔ２のプロファイルの受信および復調を行って復号データを出力する受信装置は、例えば、図７の上側に示されるように、Ｔ２−ＬｉｔｅフレームをＦＥＦとみなして処理することになる。また、Ｔ２−Ｌｉｔｅのプロファイルの受信および復調を行って復号データを出力する受信装置は、例えば、図７の下側に示されるように、Ｔ２−ＢａｓｅフレームをＦＥＦとみなして処理することになる。このように、ＦＥＦとみなされるプロファイルのフレームは、擬似ＦＥＦと称される。
【００６９】
ＤＶＢ−Ｔ２規格の規定によれば、Ｔ２−ＢａｓｅフレームとＴ２−Ｌｉｔｅフレームが混在する場合、受信装置では、Ｔ２−ＬｉｔｅフレームのＬ１ポストシグナリングを解析することにより、疑似ＦＥＦの長さを得る。このため、受信装置は、Ｔ２−ＢａｓｅフレームのＰ１を検出すれば、次にＴ２−ＬｉｔｅフレームのＰ１が到来するまでの時間、Ｐ１の検出を行う必要がない。
【００７０】
図８は、ＤＶＢ−Ｔ２規格に適合する放送信号を受信して復調する従来の受信装置の構成例を示すブロック図である。
【００７１】
同図に示される受信装置１００は、チューナ１０１、バンドパスフィルタ(ＢＰＦ)１０４、ＡＤＣ（analogue-to-digital converter）部１０５、直交復調部１０６、Ｐ１検出部１０７、ＯＦＤＭ復調部１０８、誤り訂正復号部１０９、Ｌ１解釈部１１０、および、波形整形部１１１を有する構成とされている。
【００７２】
放送局から放送された放送波は、受信装置１００のアンテナを介して受信され、ＲＦ信号としてチューナ１０１に供給される。
【００７３】
チューナ１０１は、乗算回路１０２および局部発振器１０３からなり、受信したＲＦ信号を中間周波数のＯＦＤＭ信号（ＩＦ信号）に周波数変換する。
【００７４】
チューナ１０１から出力されるＩＦ信号は、ＢＰＦ１０４によりフィルタリングされた後、ＡＤＣ部１０５によってデジタル信号に変換される。
【００７５】
ＡＤＣ部１０５から出力されたデジタル信号は、直交復調部１０６に供給される。直交復調部１０６は、所定の周波数（理想的には搬送波周波数）のキャリア信号を用いて、デジタル化されたＩＦ信号を直交復調し、ベースバンドのＯＦＤＭ信号を出力する。ここで、直交復調部１０６が出力するＯＦＤＭ信号は、ＦＦＴ演算がされる前（送信装置側で、ＩＱコンスタレーション上の伝送シンボル（１個のサブキャリアで伝送されるデータ）がＩＦＦＴ(Inverse FFT)演算された直後）の時間領域の信号であり、ＯＦＤＭ時間領域信号ともいう。
【００７６】
Ｐ１検出部１０７は、直交復調部１０６から出力されるベースバンドのＯＦＤＭ信号から、Ｐ１を検出する。また、Ｐ１検出部１０７は、受信した放送信号から得られたＴ２フレームのプロファイルの判定、および、Ｐ１シグナリングの解析を行うとともに、Ｔ２フレームの開始位置を検出する。
【００７７】
さらに、Ｐ１検出部１０７によるＰ１の検出の際に、周波数同期およびタイミング同期を行うことができる。周波数同期およびタイミング同期の詳細については、例えば、「DVB-T2 Implementation Guideline DVB Document A133」に開示されている。
【００７８】
ＯＦＤＭ復調部２０８では、ＦＦＴ演算および等化の処理が行われる。ここでは、パイロット信号を用いて、周波数同期およびタイミング同期が行われ、また、チャネル推定が行われる。なお、周波数同期およびタイミング同期には、コンティニュアルパイロット信号が用いられ、チャネル推定には、スキャッタードパイロット信号が用いられる。
【００７９】
ＦＦＴ演算では、シンボル同期信号に従って、ＯＦＤＭ時間領域信号から、ＦＦＴ区間のＯＦＤＭ時間領域信号（のサンプル値）を抽出し、ＤＦＴ(Discrete Fourier Transform)の高速演算であるＦＦＴ（Fast Fourier Transform）演算が施される。ＯＦＤＭ時間領域信号のＦＦＴ演算により得られるＯＦＤＭ信号は、周波数領域の信号であり、ＯＦＤＭ周波数領域信号ともいう。このとき、ＦＦＴ演算に用いられるサブキャリアの周波数と、送信装置から送信されたＯＦＤＭ信号のサブキャリアの周波数のずれが、コンティニュアルパイロット信号に基づいて周波数誤差として検出される。
【００８０】
例えば、コンティニュアルパイロット信号とデータとで差があるパワーを利用して、サブキャリアの相関を演算し、キャリアずれ量を算出し、周波数誤差とする。
【００８１】
この周波数誤差を補正することにより、周波数同期およびタイミング同期が行われる。このようにすることで、Ｐ１検出の際に行われる周波数同期およびタイミング同期では除去できなかった誤差を補正することが可能となる。
【００８２】
また、タイミング同期および周波数同期が行われることにより、所定のプロファイルのフレームを適切に復調することができるようになるので、ＯＦＤＭ復調部２０８で行われるタイミング同期および周波数同期は、フレーム同期に係る処理ということもできる。
【００８３】
等化の処理では、ＯＦＤＭ周波数領域信号に挿入されているスキャッタードパイロット信号（ＳＰ信号）が検出される。そして、ＳＰ信号から、ＯＦＤＭ信号が伝送（送信）されてきた伝送路の周波数特性である伝送路特性を推定するチャネル推定処理が行われる。この際、ＯＦＤＭ周波数領域信号を、伝送路特性の推定値で除算することで、ＯＦＤＭ信号が伝送路で受けた歪みを補正する歪み補正が、等化処理として施される。歪み補正後のＯＦＤＭ周波数領域信号は、誤り訂正復号部１０９に供給される。
【００８４】
図９は、Ｔ２−Ｂａｓｅのプロファイルのフレームのみが送信される場合のチャネル推定を説明する図である。同図の例では、予測型のチャネル推定が行われる。
【００８５】
図９は、横軸が周波数（サブキャリア番号）とされ、縦軸が時間とされ、Ｔ２−Ｂａｓｅのプロファイルのフレームが２つ示されている。図中の円のそれぞれは、各サブキャリアに変調された信号を表している。
【００８６】
いまの場合、Ｔ２−Ｂａｓｅフレーム１５１は、受信装置によって既に受信されたフレームとされ、Ｔ２−Ｂａｓｅフレーム１５２は、フレーム先頭のＰ２シンボルを除いてこれから受信されるフレームとされる。
【００８７】
なお、この例では、Ｐ２シンボルは、フレームの先頭位置に１行分（１クロック分）のみ存在しており、ＳＰ信号のそれぞれと同一のサブキャリア番号に対応する周波数において、Ｐ２パイロット信号を含んでいる。Ｐ２シンボルの後に続いて受信される各行のシンボルは、ノーマルシンボルと称される。
【００８８】
Ｔ２−Ｂａｓｅフレーム１５２におけるＳＰ信号は、Ｔ２−Ｂａｓｅフレーム１５１に含まれるＳＰ信号に基づいて予測される予測ＳＰ信号とされる。
【００８９】
Ｔ２−Ｂａｓｅフレーム１５２の補間対象信号は、Ｐ２シンボルのＰ２パイロット信号、および、予測ＳＰ信号に基づいて補間された信号とされる。このように、ノーマルシンボルのパイロット信号以外の信号が、Ｐ２パイロット信号、および、予測ＳＰ信号に基づいて補間されることで、歪み補正が施される。
【００９０】
図９に示される予測型のチャネル推定を行う場合、受信装置ではＴ２−Ｂａｓｅフレーム１５１の中のＳＰ信号のみを記憶しておけばよいので、メモリの容量が抑制される。また、予測型のチャネル推定が行われる場合、複数のパイロット信号を用いたチャネル推定が行われるので雑音に対する耐性に優れたチャネル推定を行うことができる。
【００９１】
図８に戻って、誤り訂正復号部１０９は、誤り訂正符号化された信号の復号を行うようになされている。誤り訂正復号部１０９ではＬ１とデータが復号され、Ｌ１はＬ１解析部１１０に供給され、データは波形整形部１１１に供給される。
【００９２】
Ｌ１解析部１１０は、送信側でシグナリングしたパラメータをＬ１から取得する。
【００９３】
波形整形部１１１は、所望の信号のみを適切な波形形式で出力する。
【００９４】
ところで、Ｔ２−ＢａｓｅフレームとＴ２−Ｌｉｔｅフレームが混在する場合、受信装置はこのような放送信号からＴ２−ＢａｓｅまたはＴ２−Ｌｉｔｅのプロファイルに対応するフレームを選択して復調し、放送信号に含まれる放送サービスを取り出す必要がある。ＤＶＢ−Ｔ２規格の規定によれば、受信装置ではＰ１のシグナリングを解析することにより所望のプロファイルのフレームを選択することが出来、擬似ＦＥＦは無視される。
【００９５】
例えば、Ｔ２−Ｌｉｔｅが所望のプロファイルであり、Ｔ２−Ｂａｓｅが擬似ＦＥＦである場合を考える。図１０は、この場合における従来の受信装置１００の動作の例を説明する図である。同図は、横軸が時間とされ、送信信号におけるフレームのプロファイル、Ｐ１検出部１０７の動作状態、ＯＦＤＭ復調部以降の動作状態、タイミング誤差の蓄積状態が示されている。なお、ここで、ＯＦＤＭ復調部以降とは、ＯＦＤＭ復調部１０８、誤り訂正復号部１０９、Ｌ１解釈部１１０、および、波形整形部１１１を意味する。
【００９６】
図１０の例では、送信信号において、Ｔ２−Ｂａｓｅフレーム（Ｔ２Ｂ）とＴ２−Ｌｉｔｅフレーム（Ｔ２Ｌ）が混在しており、２つのＴ２−Ｂａｓｅフレームに対して１つのＴ２−Ｌｉｔｅフレームが周期的に送信されている。
【００９７】
また、図１０の例では、Ｐ１検出部１０７は、Ｔ２−Ｌｉｔｅフレームおよび２つのＴ２−Ｂａｓｅフレームのうちの１つＴ２−Ｌｉｔｅフレームの図中左端部に対応する時間において稼働（「ＡＣＴ」）しており、それ以外の時間においては休止（「ＳＬＥＥＰ」）している。
【００９８】
なお、上述したように、Ｔ２−ＢａｓｅフレームとＴ２−Ｌｉｔｅフレームが混在する場合、受信装置では、Ｔ２−ＬｉｔｅフレームのＬ１ポストシグナリングを解析することにより、疑似ＦＥＦ（いまの場合、連続する２つのＴ２−Ｂａｓｅフレーム）の長さを得る。このため、受信装置は、連続するＴ２−Ｂａｓｅフレームのうち、１つのＴ２−ＢａｓｅフレームのＰ１を検出すれば、残りのＴ２−ＢａｓｅフレームのＰ１の検出を行う必要がない。
【００９９】
さらに、図１０の例では、ＯＦＤＭ復調部以降は、Ｔ２−Ｌｉｔｅフレームに対応する時間において稼働（「ＡＣＴ」）しており、Ｔ２−Ｂａｓｅフレームに対応する時間においては休止（「ＳＬＥＥＰ」）している。
【０１００】
また、図１０の例では、タイミング誤差は、２つの連続するＴ２−Ｂａｓｅフレームのうち、図中左側のＴ２−Ｂａｓｅフレーム図中左端部に対応する時刻から徐々に大きくなり、図中右側のＴ２−Ｂａｓｅフレーム図中右端部に対応する時刻になるまで増加する。そして、Ｔ２−Ｌｉｔｅフレームの図中左端部に対応する位置において、急激に低下して０となる。上述したように、Ｐ１検出部１０７によるＰ１検出に伴ってタイミング同期が行われるからである。
【０１０１】
なお、Ｔ２−Ｌｉｔｅフレームに対応する時間においては、ＯＦＤＭ復調部以降が稼働することでフレーム同期が行われるので、Ｐ１検出の際に行われる周波数同期およびタイミング同期では除去できなかった誤差が補正される。従って、図１０の例では、Ｔ２−Ｌｉｔｅフレームに対応する時間においては、タイミング誤差が蓄積されることはなく、ほぼ０のまま安定する。
【０１０２】
図１０に示されるように、従来の受信装置の受信方式によれば、受信機の内部で生成されるクロック信号と、受信したＯＦＤＭ信号におけるクロックのずれ（タイミング誤差）が蓄積されてしまう。また、同図には示されていないが、ＦＦＴ演算に用いられるサブキャリアの周波数と、送信装置から送信されたＯＦＤＭ信号のサブキャリアの周波数のずれ（周波数誤差）も生じている場合があるが、Ｐ１検出部１０７が休止している間は、周波数同期が行われない。
【０１０３】
その結果、所望のプロファイルのフレーム（いまの場合、Ｔ２−Ｌｉｔｅフレーム）の受信再開時に周波数同期、タイミング同期などに時間がかかり、誤差が小さくなるまで受信状態が悪くなることがある。
【０１０４】
そこで、本技術では、擬似ＦＥＦ区間においてもＰ１検出部１０７を稼働させるようにする。
【０１０５】
図１１は、Ｔ２−Ｌｉｔｅが所望のプロファイルであり、Ｔ２−Ｂａｓｅが擬似ＦＥＦである場合における本技術を適用した受信装置１００の動作の例を説明する図である。同図は、図１０と同様に、横軸が時間とされ、送信信号におけるフレームのプロファイル、Ｐ１検出部１０７の動作状態、ＯＦＤＭ復調部以降の動作状態、タイミング誤差の蓄積状態が示されている。なお、ここで、ＯＦＤＭ復調部以降とは、ＯＦＤＭ復調部１０８、誤り訂正復号部１０９、Ｌ１解釈部１１０、および、波形整形部１１１を意味する。
【０１０６】
図１１の例では、送信信号において、Ｔ２−Ｂａｓｅフレーム（Ｔ２Ｂ）とＴ２−Ｌｉｔｅフレーム（Ｔ２Ｌ）が混在しており、２つのＴ２−Ｂａｓｅフレームに対して１つのＴ２−Ｌｉｔｅフレームが周期的に送信されている。
【０１０７】
また、図１１の例では、図１０の場合と異なり、Ｐ１検出部１０７が、Ｔ２−Ｌｉｔｅフレームおよび２つのＴ２−Ｂａｓｅフレームに対応する時間において全て稼働（「ＡＣＴ」）している。
【０１０８】
さらに、図１１の例では、ＯＦＤＭ復調部以降が、Ｔ２−Ｌｉｔｅフレームに対応する時間において稼働（「ＡＣＴ」）しており、Ｔ２−Ｂａｓｅフレームに対応する時間においては休止（「ＳＬＥＥＰ」）している。これは、図１０の場合と同様である。
【０１０９】
また、図１１の例では、図１０の場合と異なり、タイミング誤差は、Ｔ２−Ｂａｓｅフレーム、および、Ｔ２−Ｌｉｔｅフレームの図中左端部に対応する位置において、急激に低下して０となる。なお、各Ｔ２−Ｂａｓｅフレームの図中左端部から右端部までの時間タイミング誤差は上昇するが、次のフレームとの境界となる時刻において、急激に低下している。上述したように、Ｐ１検出部１０７によるＰ１検出に伴ってタイミング同期が行われるからである。
【０１１０】
なお、Ｔ２−Ｌｉｔｅフレームに対応する時間においては、ＯＦＤＭ復調部以降が稼働することでフレーム同期が行われるので、Ｐ１検出の際に行われる周波数同期およびタイミング同期では除去できなかった誤差が補正される。従って、図１１の例では、Ｔ２−Ｌｉｔｅフレームに対応する時間においては、タイミング誤差が蓄積されることはなく、ほぼ０のまま安定する。
【０１１１】
図１１に示されるように、本技術を適用した受信装置の受信方式によれば、受信機の内部で生成されるクロック信号と、受信したＯＦＤＭ信号におけるクロックのずれ（タイミング誤差）がほとんど蓄積されない。また、同図には示されていないが、ＦＦＴ演算に用いられるサブキャリアの周波数と、送信装置から送信されたＯＦＤＭ信号のサブキャリアの周波数のずれ（周波数誤差）が生じても、各フレームの境界に対応する時刻毎に周波数同期が行われて補正される。
【０１１２】
その結果、所望のプロファイルのフレーム（いまの場合、Ｔ２−Ｌｉｔｅフレーム）の受信再開時に周波数同期、タイミング同期などに時間がかかることはなく、受信状態が悪くなることもない。
【０１１３】
ところで、図１１を参照して上述した例では、ＯＦＤＭ復調部以降が、Ｔ２−Ｌｉｔｅフレームに対応する時間において稼働しており、Ｔ２−Ｂａｓｅフレームに対応する時間においては休止している。
【０１１４】
この場合、図９を参照して上述したような予測型のチャネル推定を行うことができない。
【０１１５】
図１２は、異なるプロファイルが混在する場合であって、Ｔ２−Ｌｉｔｅが所望のプロファイルであり、Ｔ２−Ｂａｓｅが擬似ＦＥＦである場合のチャネル推定を説明する図である。図１２は、図１１に示される受信方式で受信装置１００の各部を動作させた場合のチャネル推定を説明する図である。
【０１１６】
図１２は、横軸が周波数（サブキャリア番号）とされ、縦軸が時間とされ、Ｔ２−Ｂａｓｅのプロファイルのフレーム、および、Ｔ２−Ｌｉｔｅのプロファイルのフレームが示されている。図中の円のそれぞれは、各サブキャリアに変調された信号を表している。
【０１１７】
いまの場合、Ｔ２−Ｂａｓｅフレーム１５３は、受信装置によって既に受信されたフレームとされる。図１２の場合、図中のチャネル推定中のシンボルの補間対象信号を補間するためには、Ｔ２−Ｌｉｔｅフレーム１５４の５シンボル分の信号を記憶する必要がある。
【０１１８】
なお、この例では、Ｐ２シンボルは、フレームの先頭位置に１行分（１クロック分）のみ存在しており、ＳＰ信号のそれぞれと同一のサブキャリア番号に対応する周波数において、Ｐ２パイロット信号を含んでいる。Ｐ２シンボルの後に続いて受信される各行のシンボルは、ノーマルシンボルと称される。
【０１１９】
予測型のチャネル推定では、図９を参照して上述したように、既に受信したＴ２−Ｂａｓｅフレーム１５３のＳＰ信号に基づいて、今後受信するＳＰ信号を予測して予測ＳＰを生成する必要がある。しかしながら、ＯＦＤＭ復調部以降が、Ｔ２−Ｂａｓｅフレームに対応する時間においては休止していると、Ｔ２−Ｂａｓｅフレーム１５３のＳＰ信号を取得することができない。このため、図１２の例では、図９において予測ＳＰ信号とされていた信号を、実際に受信してからチャネル推定中のシンボルの補間対象信号を補間する必要がある。
【０１２０】
よって、図１２の例の場合、受信装置１００に、少なくともＴ２−Ｌｉｔｅフレーム１５４の５シンボル分の信号を記憶するメモリを設ける必要がある。また、このようなメモリを設けたとしても、Ｔ２−Ｂａｓｅフレーム１５３のＳＰ信号はいずれもチャネル推定に用いることができないので、雑音に対する耐性が劣化する場合がある。
【０１２１】
そこで、本技術では、擬似ＦＥＦ区間において、Ｐ１検出部１０７とともに、復調部以降も稼働させるようにしてもよい。
【０１２２】
図１３は、Ｔ２−Ｌｉｔｅが所望のプロファイルであり、Ｔ２−Ｂａｓｅが擬似ＦＥＦである場合における本技術を適用した受信装置１００の動作の別の例を説明する図である。同図は、図１１と同様に、横軸が時間とされ、送信信号におけるフレームのプロファイル、Ｐ１検出部１０７の動作状態、ＯＦＤＭ復調部以降の動作状態、タイミング誤差の蓄積状態が示されている。なお、ここで、ＯＦＤＭ復調部以降とは、ＯＦＤＭ復調部１０８、誤り訂正復号部１０９、Ｌ１解釈部１１０、および、波形整形部１１１を意味する。
【０１２３】
図１３の例では、送信信号において、Ｔ２−Ｂａｓｅフレーム（Ｔ２Ｂ）とＴ２−Ｌｉｔｅフレーム（Ｔ２Ｌ）が混在しており、２つのＴ２−Ｂａｓｅフレームに対して１つのＴ２−Ｌｉｔｅフレームが周期的に送信されている。
【０１２４】
また、図１３の例では、図１１と同様に、Ｐ１検出部１０７が、Ｔ２−Ｌｉｔｅフレームおよび２つのＴ２−Ｂａｓｅフレームに対応する時間において全て稼働（「ＡＣＴ」）している。
【０１２５】
さらに、図１３の例では、図１１の場合とは異なり、復調部以降が、Ｔ２−Ｌｉｔｅフレームおよび２つのＴ２−Ｂａｓｅフレームに対応する時間において全て稼働（「ＡＣＴ」）している。
【０１２６】
また、図１３の例では、図１１の場合と異なり、タイミング誤差は、Ｔ２−Ｌｉｔｅフレームおよび２つのＴ２−Ｂａｓｅフレームに対応する時間において全て０とされている。上述したように、Ｐ１検出部１０７によるＰ１検出に伴ってタイミング同期が行われ、ＯＦＤＭ復調部以降が稼働することでフレーム同期が行われるので、タイミング誤差がほぼ０のまま安定する。
【０１２７】
図１４は、異なるプロファイルが混在する場合であって、Ｔ２−Ｌｉｔｅが所望のプロファイルであり、Ｔ２−Ｂａｓｅが擬似ＦＥＦである場合のチャネル推定の別の例を説明する図である。図１４は、図１３に示される受信方式で受信装置１００の各部を動作させた場合のチャネル推定を説明する図である。
【０１２８】
図１４は、横軸が周波数（サブキャリア番号）とされ、縦軸が時間とされ、Ｔ２−Ｂａｓｅのプロファイルのフレーム、および、Ｔ２−Ｌｉｔｅのプロファイルのフレームが示されている。図中の円のそれぞれは、各サブキャリアに変調された信号を表している。
【０１２９】
いまの場合、Ｔ２−Ｂａｓｅフレーム１５３は、受信装置１００によって既に受信されたフレームとされる。
【０１３０】
なお、この例では、Ｐ２シンボルは、フレームの先頭位置に１行分（１クロック分）のみ存在しており、ＳＰ信号のそれぞれと同一のサブキャリア番号に対応する周波数において、Ｐ２パイロット信号を含んでいる。Ｐ２シンボルの後に続いて受信される各行のシンボルは、ノーマルシンボルと称される。
【０１３１】
Ｔ２−Ｌｉｔｅフレーム１５４におけるＳＰ信号は、Ｔ２−Ｂａｓｅフレーム１５３に含まれるＳＰ信号に基づいて予測される予測ＳＰ信号とされる。
【０１３２】
Ｔ２−Ｌｉｔｅフレーム１５４の補間対象信号は、Ｐ２シンボルのＰ２パイロット信号、および、予測ＳＰ信号に基づいて補間された信号とされる。このように、ノーマルシンボルのパイロット信号以外の信号が、Ｐ２パイロット信号、および、予測ＳＰ信号に基づいて補間されることで、歪み補正が施される。
【０１３３】
すなわち、擬似ＦＥＦ区間において、Ｐ１検出部１０７とともに、復調部以降も稼働させるようにすれば、異なるプロファイルが混在する場合であっても、予測型のチャネル推定を行うことが可能となる。
【０１３４】
図１４に示される予測型のチャネル推定を行う場合、受信装置１００ではＴ２−Ｂａｓｅフレーム１５３の中のＳＰ信号のみを記憶しておけばよいので、メモリの容量が抑制される。また、予測型のチャネル推定が行われる場合、複数のパイロット信号を用いたチャネル推定が行われるので雑音に対する耐性に優れたチャネル推定を行うことができる。
【０１３５】
なお、図１４の例では、説明を簡単にするため、Ｔ２−Ｂａｓｅフレーム１５３とＴ２−Ｌｉｔｅフレーム１５４のパイロットパターンが同じであることを前提として説明した。例えば、Ｔ２−Ｂａｓｅフレーム１５３とＴ２−Ｌｉｔｅフレーム１５４のパイロットパターンが異なる場合、Ｔ２−Ｂａｓｅフレーム１５３について予測型チャネル推定を行い、Ｔ２−Ｌｉｔｅフレーム１５４の予測型のチャネル推定のために必要なデータを、補間、間引きによって求める。そして、Ｔ２−Ｌｉｔｅフレーム１５４について予測型のチャネル推定が行われるようにすればよい。
【０１３６】
図１５は、本技術を適用した、ＤＶＢ−Ｔ２規格に適合する放送信号を受信して復調する従来の受信装置の一実施の形態に係る構成例を示すブロック図である。同図において、図８と対応する部分には同一の符号が付されている。
【０１３７】
図１５に示される受信装置１００は、チューナ１０１、バンドパスフィルタ(ＢＰＦ)１０４、ＡＤＣ（analogue-to-digital converter）部１０５、直交復調部１０６、Ｐ１検出部１０７、ＯＦＤＭ復調部１０８、誤り訂正復号部１０９、Ｌ１解釈部１１０、波形整形部１１１、および稼働制御部１２１を有する構成とされている。すなわち、図１５の構成例においては、図８の場合と異なり、稼働制御部１２１が設けられている。
【０１３８】
図１５の構成の場合、Ｐ１検出部１０７は、直交復調部１０６から出力されるベースバンドのＯＦＤＭ信号から、Ｐ１を検出する。また、Ｐ１検出部１０７は、受信した放送信号から得られたＴ２フレームのプロファイルの判定、および、Ｐ１シグナリングの解析を行うとともに、Ｔ２フレームの開始位置を検出する。そして、Ｐ１検出部１０７は、Ｔ２フレームのプロファイルの判定結果、Ｐ１シグナリングの解析結果、Ｔ２フレームの開始位置の検出結果を稼働制御部１２１に供給する。
【０１３９】
稼働制御部１２１は、Ｐ１検出部１０７から供給された情報に基づいて、Ｐ１検出部１０７、および、ＯＦＤＭ復調部１０８の稼働を制御する。
【０１４０】
稼働制御部１２１は、例えば、Ｐ１検出部１０７から供給された情報に基づいて、受信された放送信号に複数のプロファイルが含まれているか否かを判定する。また、複数のプロファイルが含まれている場合、稼働制御部１２１は、所望のプロファイル（誤り訂正復号されたデータを出力すべきプロファイル）のフレームの開始位置において、Ｐ１検出部１０７および直交復調部１０６を稼働させるか否かを判定し、判定結果に応じた制御信号を、Ｐ１検出部１０７、および、ＯＦＤＭ復調部１０８に出力する。
【０１４１】
稼働制御部１２１により上述した制御信号が出力されることで、Ｐ１検出部１０７、および、復調部以降が、例えば、図１１を参照して上述したように稼働される。あるいはまた、稼働制御部１２１により上述した制御信号が出力されることで、Ｐ１検出部１０７、および、復調部以降が、例えば、図１３を参照して上述したように稼働される。
【０１４２】
なお、稼働制御部１２１によりＯＦＤＭ復調部１０８を稼働させるための制御信号が出力された場合、復調部以降が稼働することになり、稼働制御部１２１によりＯＦＤＭ復調部１０８を休止させるための制御信号が出力された場合、復調部以降が休止することになる。
【０１４３】
図１５におけるその他の部分の構成は、図８を参照して上述した場合と同様なので、詳細な説明は省略する。
【０１４４】
次に、図１６のフローチャートを参照して、本技術を適用した送信装置１００によるプロファイル別受信処理の例について説明する。この処理は、例えば、図１１を参照して上述したように、受信装置１００の動作が制御される場合の例とされる。
【０１４５】
ステップＳ２１において、Ｐ１検出部１０７は、Ｐ１を解析する。このとき、例えば、Ｔ２フレームのプロファイルの判定結果、Ｐ１シグナリングの解析結果、Ｔ２フレームの開始位置の検出結果などを含む情報が稼働制御部１２１に供給される。
【０１４６】
ステップＳ２２において、稼働制御部１２１は、ステップＳ２１の処理の結果、供給された情報に基づいて、受信された放送信号に複数のプロファイルが含まれているか（プロファイルが混在しているか）否かを判定する。
【０１４７】
ステップＳ２２において、プロファイルが混在していると判定された場合、処理は、ステップＳ２３に進む。
【０１４８】
ステップＳ２３において、稼働制御部１２１は、ステップＳ２１の処理の結果、供給された情報に基づいて、フレームの開始位置が検出されたか否かを判定し、フレームの先頭位置が検出されたと判定されるまで待機する。
【０１４９】
ステップＳ２３において、フレームの開始位置が検出された場合、処理は、ステップＳ２４に進む。
【０１５０】
ステップＳ２４において、稼働制御部１２１は、ステップＳ２３の処理で先頭位置が検出されたと判定されたフレームは、所望のプロファイルのフレームであるか否かを判定する。
【０１５１】
ステップＳ２４において、所望のプロファイルのフレームではないと判定された場合、処理は、ステップＳ２５に進む。
【０１５２】
ステップＳ２５において、稼働制御部１２１は、Ｐ１検出部１０７を稼働させるための制御信号を出力する。
【０１５３】
ステップＳ２６において、稼働制御部１２１は、ＯＦＤＭ復調部１０８を休止させるための制御信号を出力する。
【０１５４】
一方、ステップＳ２４において、所望のプロファイルではないと判定された場合、処理は、ステップＳ２７に進む。
【０１５５】
ステップＳ２７において、稼働制御部１２１は、Ｐ１検出部１０７を稼働させるための制御信号を出力する。
【０１５６】
ステップＳ２８において、稼働制御部１２１は、ＯＦＤＭ復調部１０８を稼働させるための制御信号を出力する。
【０１５７】
なお、ステップＳ２２において、プロファイルが混在していないと判定された場合、処理は、ステップＳ２９に進む。ステップＳ２９では、ＤＶＢ−Ｔ２規格で規定される通りに受信装置１００の各部が稼働される。
【０１５８】
このようにしてプロファイル別受信処理が実行される。
【０１５９】
このようにすることで、例えば、図１１を参照して上述したように、受信装置１００の動作が制御される。その結果、所望のプロファイルのフレームの受信再開時に周波数同期、タイミング同期などに時間がかかることはなく、受信状態が悪くなることもない。
【０１６０】
次に、図１７のフローチャートを参照して、本技術を適用した送信装置１００によるプロファイル別受信処理の別の例について説明する。この処理は、例えば、図１３を参照して上述したように、受信装置１００の動作が制御される場合の例とされる。
【０１６１】
ステップＳ４１において、Ｐ１検出部１０７は、Ｐ１を解析する。このとき、例えば、Ｔ２フレームのプロファイルの判定結果、Ｐ１シグナリングの解析結果、Ｔ２フレームの開始位置の検出結果などを含む情報が稼働制御部１２１に供給される。
【０１６２】
ステップＳ４２において、稼働制御部１２１は、ステップＳ２１の処理の結果、供給された情報に基づいて、受信された放送信号に複数のプロファイルが含まれているか（プロファイルが混在しているか）否かを判定する。
【０１６３】
ステップＳ４２において、プロファイルが混在していると判定された場合、処理は、ステップＳ４３に進む。
【０１６４】
ステップＳ４３において、稼働制御部１２１は、ステップＳ４１の処理の結果、供給された情報に基づいて、フレームの開始位置が検出されたか否かを判定し、フレームの先頭位置が検出されたと判定されるまで待機する。
【０１６５】
ステップＳ４３において、フレームの開始位置が検出された場合、処理は、ステップＳ４４に進む。
【０１６６】
ステップＳ４４において、稼働制御部１２１は、Ｐ１検出部１０７を稼働させるための制御信号を出力する。
【０１６７】
ステップＳ４５において、稼働制御部１２１は、ＯＦＤＭ復調部１０８を稼働させるための制御信号を出力する。
【０１６８】
なお、ステップＳ４２において、プロファイルが混在していないと判定された場合、処理は、ステップＳ４６に進む。ステップＳ４６では、ＤＶＢ−Ｔ２規格で規定される通りに受信装置１００の各部が稼働される。
【０１６９】
このようにしてプロファイル別受信処理が実行される。
【０１７０】
このようにすることで、例えば、図１３を参照して上述したように、受信装置１００の動作が制御される。
【０１７１】
その結果、異なるプロファイルが混在する場合であっても、予測型のチャネル推定を行うことが可能となり、メモリの容量を抑制することができ、雑音に対する耐性に優れたチャネル推定を行うことができる。さらに、所望のプロファイルのフレームの受信再開時に周波数同期、タイミング同期などに時間がかかることはなく、受信状態が悪くなることもない。
【０１７２】
なお、上述した一連の処理は、ハードウェアにより実行させることもできるし、ソフトウェアにより実行させることもできる。上述した一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば図１８に示されるような汎用のパーソナルコンピュータ７００などに、ネットワークや記録媒体からインストールされる。
【０１７３】
図１８において、ＣＰＵ（Central Processing Unit）７０１は、ＲＯＭ（Read Only Memory）７０２に記憶されているプログラム、または記憶部７０８からＲＡＭ（Random Access Memory）７０３にロードされたプログラムに従って各種の処理を実行する。ＲＡＭ７０３にはまた、ＣＰＵ７０１が各種の処理を実行する上において必要なデータなども適宜記憶される。
【０１７４】
ＣＰＵ７０１、ＲＯＭ７０２、およびＲＡＭ７０３は、バス７０４を介して相互に接続されている。このバス７０４にはまた、入出力インタフェース７０５も接続されている。
【０１７５】
入出力インタフェース７０５には、キーボード、マウスなどよりなる入力部７０６、ＬＣＤ(Liquid Crystal display)などよりなるディスプレイ、並びにスピーカなどよりなる出力部７０７、ハードディスクなどより構成される記憶部７０８、モデム、ＬＡＮカードなどのネットワークインタフェースカードなどより構成される通信部７０９が接続されている。通信部７０９は、インターネットを含むネットワークを介しての通信処理を行う。
【０１７６】
入出力インタフェース７０５にはまた、必要に応じてドライブ７１０が接続され、磁気ディスク、光ディスク、光磁気ディスク、或いは半導体メモリなどのリムーバブルメディア７１１が適宜装着され、それらから読み出されたコンピュータプログラムが、必要に応じて記憶部７０８にインストールされる。
【０１７７】
上述した一連の処理をソフトウェアにより実行させる場合には、そのソフトウェアを構成するプログラムが、インターネットなどのネットワークや、リムーバブルメディア７１１などからなる記録媒体からインストールされる。
【０１７８】
なお、この記録媒体は、図１８に示される、装置本体とは別に、ユーザにプログラムを配信するために配布される、プログラムが記録されている磁気ディスク（フロッピディスク（登録商標）を含む）、光ディスク（CD-ROM(Compact Disk-Read Only Memory),DVD(Digital Versatile Disk)を含む）、光磁気ディスク（MD（Mini-Disk）（登録商標）を含む）、もしくは半導体メモリなどよりなるリムーバブルメディア７１１により構成されるものだけでなく、装置本体に予め組み込まれた状態でユーザに配信される、プログラムが記録されているＲＯＭ７０２や、記憶部７０８に含まれるハードディスクなどで構成されるものも含む。
【０１７９】
なお、本明細書において上述した一連の処理は、記載された順序に沿って時系列的に行われる処理はもちろん、必ずしも時系列的に処理されなくとも、並列的あるいは個別に実行される処理をも含むものである。
【０１８０】
また、本技術の実施の形態は、上述した実施の形態に限定されるものではなく、本技術の要旨を逸脱しない範囲において種々の変更が可能である。
【０１８１】
なお、本技術は以下のような構成も取ることができる。
【０１８２】
（１）
ＤＶＢ−Ｔ２規格に適合し、複数のプロファイルが混在する放送信号において、前記複数のプロファイルのそれぞれに対応するフレームに含まれる情報を抽出する情報抽出部と、
前記複数のプロファイルのうち、誤り訂正復号されたデータを出力すべきプロファイルである第１のプロファイルのフレームに含まれるフレーム同期に係る処理に必要な情報、および、誤り訂正復号されたデータを出力する必要がないプロファイルである第２のプロファイルのフレームに含まれるフレーム同期に係る処理に必要な情報を常に取得するように、前記情報抽出部の稼働を制御する稼働制御部と
を備える受信装置。
（２）
前記第２のプロファイルのフレームに含まれるフレーム同期に係る処理に必要な情報が、Ｐ１プリアンブル信号である
（１）に記載の受信装置。
（３）
前記第２のプロファイルのフレームに含まれるフレーム同期に係る処理に必要な情報が、スキャッタードパイロット信号またはコンティニュアルパイロット信号である
（１）または（２）に記載の受信装置。
（４）
前記情報抽出部により抽出された、前記第１のプロファイルのフレームに含まれるフレーム同期に係る処理に必要な情報、および、前記第２のプロファイルのフレームに含まれるフレーム同期に係る処理に必要な情報に基づいて、
前記第１のプロファイルのフレームにおける周波数同期が行われる
（１）乃至（３）のいずれかに記載の受信装置。
（５）
前記情報抽出部により抽出された、前記第１のプロファイルのフレームに含まれるフレーム同期に係る処理に必要な情報、および、前記第２のプロファイルのフレームに含まれるフレーム同期に係る処理に必要な情報に基づいて、
前記第１のプロファイルのフレームにおけるタイミング同期が行われる
（１）乃至（４）のいずれかに記載の受信装置。
（６）
前記情報抽出部により抽出された、前記第１のプロファイルのフレームに含まれるフレーム同期に係る処理に必要な情報、および、前記第２のプロファイルのフレームに含まれるフレーム同期に係る処理に必要な情報に基づいて、
前記第１のプロファイルのフレームにおけるチャネル推定が行われる
（１）乃至（５）のいずれかに記載の受信装置。
（７）
前記第２のプロファイルのフレームに含まれるフレーム同期に係る処理に必要な情報として、スキャッタードパイロット信号が抽出され、
前記第２のプロファイルのフレームから抽出された前記スキャッタードパイロット信号に基づいて、前記第１のプロファイルのフレームのスキャッタードパイロット信号が予測され、
前記予測されたスキャッタードパイロット信号に基づいて、前記第１のプロファイルのフレームにおけるチャネル推定が行われる
（６）に記載の受信装置。
（８）
情報抽出部が、ＤＶＢ−Ｔ２規格に適合し、複数のプロファイルが混在する放送信号において、前記複数のプロファイルのそれぞれに対応するフレームに含まれる情報を抽出し、
稼働制御部が、前記複数のプロファイルのうち、誤り訂正復号されたデータを出力すべきプロファイルである第１のプロファイルのフレームに含まれるフレーム同期に係る処理に必要な情報、および、誤り訂正復号されたデータを出力する必要がないプロファイルである第２のプロファイルのフレームに含まれるフレーム同期に係る処理に必要な情報を常に取得するように、前記情報抽出部の稼働を制御するステップ
を含む受信方法。
（９）
コンピュータを、
ＤＶＢ−Ｔ２規格に適合し、複数のプロファイルが混在する放送信号において、前記複数のプロファイルのそれぞれに対応するフレームに含まれる情報を抽出する情報抽出部と、
前記複数のプロファイルのうち、誤り訂正復号されたデータを出力すべきプロファイルである第１のプロファイルのフレームに含まれるフレーム同期に係る処理に必要な情報、および、誤り訂正復号されたデータを出力する必要がないプロファイルである第２のプロファイルのフレームに含まれるフレーム同期に係る処理に必要な情報を常に取得するように、前記情報抽出部の稼働を制御する稼働制御部とを備える受信装置として機能させる
プログラム。
【符号の説明】
【０１８３】
１００  受信装置，  １０１  チューナ，  １０６  直交復調部，  １０７  Ｐ１検出部，  １０８  ＯＦＤＭ復調部，  １０９  誤り訂正復号部，  １１０  Ｌ１解釈部，  １１１  波形整形部，  １２１  稼働制御部
【図１】
2014017577.tif 000003
【図２】
2014017577.tif 000004
【図３】
2014017577.tif 000005
【図４】
2014017577.tif 000006
【図５】
2014017577.tif 000007
【図６】
2014017577.tif 000008
【図７】
2014017577.tif 000009
【図８】
2014017577.tif 000010
【図９】
2014017577.tif 000011
【図１０】
2014017577.tif 000012
【図１１】
2014017577.tif 000013
【図１２】
2014017577.tif 000014
【図１３】
2014017577.tif 000015
【図１４】
2014017577.tif 000016
【図１５】
2014017577.tif 000017
【図１６】
2014017577.tif 000018
【図１７】
2014017577.tif 000019
【図１８】
2014017577.tif 000020